(57)【要約】【課題】プラグホールの閉塞状態を良好にし、車両外部の騒音をアンダーパネルと同等に遮蔽させ、外部騒音の車両内部への進入を、従来に増して防止可能とする。【解決手段】プラグホールプレート１の材料を形状記憶合金とし、塗装ラインにおける乾燥工程での加熱により、記憶した形状に戻すことで、プラグホールＰＨを被覆させ、プラグホールＰＨを閉塞させる。プラグホールＰＨ閉塞後、アンダーパネルＰとプラグホールプレート１とに塗装工程で各種塗装を施し、プラグホールＰＨの遮音性能を向上させる。【選択図】図２
2011037358.tif 000002
【特許請求の範囲】
【請求項１】
成形されたパネルに穿設されたプラグホールに隣接して設置される載置部と、
前記載置部から折曲されて前記パネルから立設された状態に位置され、前記プラグホールを閉塞可能な面積を有し、周縁部がプラグホール周囲部を被覆可能な縁部を設ける被覆部と、を備え、
所定温度において折曲部から被覆部が伸展可能な形状記憶合金からなり、伸展時に載置部および被覆部がプラグホールおよびその周囲部を被覆可能なプラグホールプレート。
【請求項２】
成形されたパネルに穿設されたプラグホールに隣接して設置される載置部と、
前記載置部から折曲され、前記プラグホールを閉塞可能な面積を有し、周縁部がプラグホール周囲部を被覆可能な縁部を形成し、該縁部の内側が前記プラグホール形状に突出させた突部を形成する被覆部と、を備える鋼板製のプラグホールプレートを用いたプラグホールの閉塞方法であって、
自動車ボディーを塗装する塗装工程前に、前記プラグホールプレートの前記被覆部に備える突部をプラグホールに位置させ、プラグホールプレートを前記パネルに仮固定させるプレート取り付け工程と、
前記塗装工程における乾燥炉による乾燥工程において、所定温度が付加され、前記プラグホールプレートにおける前記折曲部が伸展し、プラグホールおよびその周囲部を被覆させるプラグホールプレート固定工程と、を備えるプラグホールの閉塞方法。
【請求項３】
成形されたパネルに穿設されたプラグホールに隣接して設置される載置部と、
前記載置部から延設されて前記パネルから立設された状態に位置され、前記プラグホールを閉塞可能な面積を有し、周縁部がプラグホール周囲部を被覆可能な縁部を設ける被覆部と、を備え、所定温度において折曲部から被覆部が伸展可能な形状記憶合金からなり、伸展時に載置部および被覆部がプラグホールおよびその周囲部を被覆可能なプラグホールプレートを用いたプラグホールの閉塞方法であって、
自動車ボディーを塗装する塗装ライン前に、前記プラグホールプレートの前記載置部を、プラグホールに隣接させて載置するプレート取り付け工程と、
前記塗装ラインにおける塗装工程において、前記仮止めされたプラグホールプレートがプラグホールを被覆した状態で前記パネルと共に塗装を施すプラグホールプレート固定工程と、を備えるプラグホールの閉塞方法。
【発明の詳細な説明】
【技術分野】
【０００１】
この発明は、自動車ボディー製作時にアンダーパネル等のパネルに穿設され、基準孔や水抜き孔等に供され、自動車ボディー製作後には閉塞される貫通孔を閉塞するプラグホールプレート、および、このプラグホールプレートによる貫通孔の閉塞方法に関する。
【背景技術】
【０００２】
自動車ボディー製作時には、自動車ボディーのアンダーパネル等のパネルに、基準孔や水抜き孔等、自動車製造終了時には不要となる貫通孔が穿設されている。
該貫通孔を開口状態にしておくと、走行時に跳ね上げた砂利などの進入が有ったり、外部の騒音が車内に侵入してしまうなどの弊害があるため、自動車ボディー製造終了時には、プラグによって該貫通孔（以後、プラグホールという。）を閉塞させていた。
【０００３】
図１０は、特許文献１に開示されたプラグを示す説明図である。
特許文献１に開示されたプラグ１０２は、ゴム、軟質合成樹脂等、弾性変形可能な可撓性を有する材料から成り、中央部に断面円弧状の凸面状に形成された薄肉部１０２ａと、該薄肉部１０２ａを囲繞する厚肉の土手部１２０と、該土手部１２０の外周をスリット溝状に形成したリング溝１０２ｃと、前記土手部１２０の貫通孔１０１ａ（背面側）側に形成される断面楔状部１２０ｂを具え、前記リング溝１０２ｃ上方に位置する土手部本体１２０ａ外周を前記楔状部１２０ｂ外径より拡径した構造である。
【０００４】
そして、特許文献１に開示されたプラグ１０２は、車両塗装工程を終了して塗装が施された自動車ボディーの車両組立工程において、プラグホールへ取り付けられていた。
【先行技術文献】
【特許文献】
【０００５】
【特許文献１】特開平０８−１２１４３７号公報
【発明の概要】
【発明が解決しようとする課題】
【０００６】
上記のように、従来のプラグは、塗装工程終了後にプラグホールへ嵌合させるため、プラグは、プラグホールへ外部から入り込めるように、高分子樹脂やゴムなどの比較的変形が容易な素材（大半が塩化ビニル）を用いて製造されていた。このため、プラグホールを閉塞しても、車両外部の音がプラグホールを経由して入ってきてしまうと言う問題点を有した。これは、プラグが、自動車ボディーのアンダーパネル等のパネルを形作る鋼板に比べて音の透過率が良い（音の遮蔽性能が悪い）ことに起因しており、アンダーパネル等に比べ透過される騒音が各周波数を平均しても５[dB]ほど高くなってしまっていた。
【０００７】
また、プラグは、塗装工程において塗料による変質や乾燥炉での熱による変質等を伴ってしまう。そのため、プラグをプラグホールへ嵌め込む工程は、車両塗装が終了した後の車両組立工程以降に行わなければならず、プラグとフロアとの僅かな間隙のシールが不可能であるか、あるいは、別途工程を設けて行わなければならないという問題点を有した。  更には、プラグを嵌め込むので、嵌め込まれた後のプラグホールの状態が、プラグホール毎に異なり、プラグホールの閉塞にばらつきが生じてしまうという問題点を有した。
【０００８】
この発明は、上記問題点に鑑み、外部の騒音をアンダーパネル等のパネルと同等に遮蔽可能であり、プラグホール毎のばらつきが生じないプラグホールの閉塞、および、該閉塞方法を提供する。
【課題を解決するための手段】
【０００９】
この発明は、上記問題点を解決するためのプラグホールプレートを、成形されたパネルに穿設されたプラグホールに隣接して設置される載置部と、前記載置部から折曲されて前記パネルから立設された状態に位置され、前記プラグホールを閉塞可能な面積を有し、周縁部がプラグホール周囲部を被覆可能な縁部を設ける被覆部と、を備え、所定温度において折曲部から被覆部が伸展可能な形状記憶合金からなり、伸展時に載置部および被覆部がプラグホールおよびその周囲部を被覆可能とする。
【００１０】
また、該プラグホールプレートを用いてプラグホールを閉塞させるために、成形されたパネルに穿設されたプラグホールに隣接して設置される載置部と、前記載置部から折曲され、前記プラグホールを閉塞可能な面積を有し、周縁部がプラグホール周囲部を被覆可能な縁部を形成し、該縁部の内側が前記プラグホール形状に突出させた突部を形成する被覆部と、を備える鋼板製のプラグホールプレートを用いたプラグホールの閉塞方法であって、自動車ボディーを塗装する塗装工程前に、前記プラグホールプレートの前記被覆部に備える突部をプラグホールに位置させ、プラグホールプレートを前記パネルに仮固定させるプレート取り付け工程と、前記塗装工程における乾燥炉による乾燥工程において、所定温度が付加され、前記プラグホールプレートにおける前記折曲部が伸展し、プラグホールおよびその周囲部を被覆させるプラグホールプレート固定工程と、を備える。
【００１１】
更に、他の方法でプラグホールを閉塞させるために、成形されたパネルに穿設されたプラグホールに隣接して設置される載置部と、前記載置部から延設されて前記パネルから立設された状態に位置され、前記プラグホールを閉塞可能な面積を有し、周縁部がプラグホール周囲部を被覆可能な縁部を設ける被覆部と、を備え、所定温度において折曲部から被覆部が伸展可能な形状記憶合金からなり、伸展時に載置部および被覆部がプラグホールおよびその周囲部を被覆可能なプラグホールプレートを用いたプラグホールの閉塞方法であって、自動車ボディーを塗装する塗装ライン前に、前記プラグホールプレートの前記載置部を、プラグホールに隣接させて載置するプレート取り付け工程と、前記塗装ラインにおける塗装工程において、前記仮止めされたプラグホールプレートがプラグホールを被覆した状態で前記パネルと共に塗装を施すプラグホールプレート固定工程と、を備える。
【発明の効果】
【００１２】
従って、この発明によれば、プラグホールを閉塞するプラグホールプレートが、形状記憶合金や鋼板からなり、プラグホールを備えるパネルと同等かそれ以上の遮音効果を有し、塗装工程によってプラグホールプレートとパネルとに塗装を施されてプラグホールを完全に閉塞可能となり、プラグホールを閉塞したパネルを、プラグホールを穿設していないパネルと同等の遮音効果を奏する構造にできるという効果を有する。
【図面の簡単な説明】
【００１３】
【図１】実施の形態が取付けられるアンダーパネルを示す説明図
【図２】実施の形態を示す斜視説明図
【図３】実施の形態の取り付け過程を示す図２の中央縦断面の端面説明図
【図４】実施の形態の塗装ラインにおける各工程を表す工程説明図
【図５】実施の形態を載置した状態を示す図２の中央縦断面の端面説明図
【図６】実施の形態が変形した状態を示す図２の中央縦断面の端面説明図
【図７】実施の形態の完成状態を示す図２の中央縦断面の端面説明図
【図８】実施の形態の音透過損失を示す折れ線グラフ
【図９】他の実施の形態を示す中央縦断面の端面説明図
【図１０】従来例を示す説明図
【発明を実施するための形態】
【００１４】
１は、この発明にかかるプラグホールプレートである。プラグホールプレート１は、アンダーパネルＰに予め貫通されたプラグホールＰＨを閉塞させるための部材である。尚、この実施の形態では、プラグホールプレート１を取り付けるパネルとしてアンダーパネルＰを例に説明するが、ドアパネル等他のパネルに施されたプラグホールＰＨに実施することも可能であり、パネルはアンダーパネルＰに限定されるものではない。
アンダーパネルＰは、図１に示すように、例えば、フロントフロアパンのような自動車の底部構造の一部であり、アンダーパネルＰには、製造工程中に基準とするための基準孔や水抜き用などに供するための孔等のプラグホールＰＨが空けられている。これらのプラグホールＰＨは、製造工程では必要であるが、自動車ボディーとしての製品となったときには不要であるために、製造工程のどこかで塞がなければならない貫通孔である。
【００１５】
プラグホールプレート１は、形状記憶合金からなり、図２に示すように、アンダーパネルＰの車両室内側表面に載置する載置部２と、載置部２から折曲部１ａで折曲されて車両室内側へ延設される被覆部３とからなる。プラグホールプレート１は、アンダーパネルＰに取付けるときには、折曲された状態であるが、所定温度まで加熱されると、伸びて一枚のプレート形状に戻るように予め設定されている。この所定温度は、自動車の塗装ライン中に設けられている乾燥工程の乾燥炉内で加熱されて折曲する温度に予め設定されている。
【００１６】
プラグホールプレート１の載置部２は、図３に示すように、アンダーパネルＰのプラグホールＰＨ周囲部の車両内部側上面に載置可能な面を備える。そして、プラグホールプレート１には、プラグホールプレート１の位置決め用にアンダーパネルＰ上面に突出するように予め形成されているビード突起ＰＢと合わせることで載置場所の位置決めが可能な位置決めビード部４を備えている。ビード部４は、載置部２の略中央に設けてある。
【００１７】
ビード部４によって位置決めされてアンダーパネルＰ上に載置されたプラグホールプレート１は、固定用の粘着テープなど適宜手法によって仮固定される。尚、プラグホールプレート１の仮固定は、例えば、ビード部４がビード突起ＰＢと嵌合係止可能に形成して上方からホックを嵌め込むようにして固定させても良く、この場合には、仮固定の工程を省くことが可能となる。
【００１８】
載置部２から折曲された被覆部３は、折曲部１ａを伸ばしたときにプラグホールＰＨを被覆可能な面積を有している。被覆部３の中央には、折曲部１ａを伸ばしたときにプラグホールＰＨに入り込めるような突部として湾曲部５を備える。尚、この実施の形態では、突部として湾曲部５を形成したが、突部は必ずしも湾曲させて設けなくとも良く、例えば、断面形状が台形となる円錐の中間部の一部のような形状としても良く、その形状は適宜決定すれば足りる。
【００１９】
また、湾曲部５の周囲には、折曲部１ａを伸ばしたときに、プラグホールＰＨへ湾曲部５が入り込んだ際にプラグホールＰＨの周囲と当接する縁部６を備える。
従って、被覆部３は、仮固定された状態で、加熱により折曲部１ａが伸びたとき、プラグホールＰＨの周囲部との間に隙間ができにくいように、湾曲部５と縁部６とを設けている。しかしながら、被覆部３は、折曲部１ａが伸びたときに、プラグホールＰＨの周囲部と縁部６とが密着できるのであれば、湾曲部５を備えずに、一枚のプレート状としてもよい。
【００２０】
プラグホールプレート１を形成している形状記憶合金は、プラグホールＰＨ上へ載置して仮固定するときには、折曲部１ａが折曲した状態を保ち、自動車製造工程中の塗装ラインに有る乾燥炉における乾燥工程で加熱された際には、折曲部１ａが伸びて被覆部３がプラグホールＰＨを被覆するように変形するよう予め製造されている。
【００２１】
次いで、プラグホールプレート１を用いてプラグホールＰＨを閉塞する方法について説明する。
図３は、プラグホールプレート１をアンダーパネルＰに設けたビード突起ＰＢへ取付ける状態を示しており、先ず、ビード突起ＰＢとビード部４とを合わせてプラグホールプレート１をアンダーパネルＰ上面に載置する。このプラグホールプレート載置工程は、自動車製造工程に於ける塗装ライン前に行われる。
【００２２】
次いで、プラグホールプレート１をアンダーパネルＰ上面への載置した状態で、粘着テープ等の適宜手段によって載置部２とアンダーパネルＰとを仮固定する。このように、仮固定を塗装ライン前に行うことで、塗装ラインにおいて、プラグホールプレート１を含めてアンダーパネルＰに、シーラー塗布や中塗り、耐チップ塗布などの各種塗装を施すことが可能となる。
【００２３】
プラグホールプレート１をアンダーパネルＰ上面に仮固定したところで、車体は塗装ラインによって各種塗装工程が施される。
図４は、塗装ラインの代表的な各工程を示す説明図であり、図４中、工程（ａ）乃至工程（ｇ）の順に順次各工程がなされる。工程（ａ）は、洗浄・化成処理工程であり、通常の塗装ラインに設けられる洗浄・化成処理工程と同様に処理される。
【００２４】
工程（ｂ）は、電着塗装工程であり、通常の塗装ラインに於ける電着塗装工程と同様に処理される。電着塗装工程（ｂ）では、アンダーパネルＰは勿論のこと、仮固定されたプラグホールプレート１表面も電着塗装される。
電着塗装工程（ｂ）を終了したアンダーパネルＰは、図５に示すように、プラグホールプレート１がプラグホールＰＨを閉塞するように変形しておらず、プラグホールプレート１およびアンダーパネルＰに電着塗装が施されている。
【００２５】
次いで、塗装ラインでは、電着塗装工程（ｂ）で自動車ボディーに施した電着塗装の乾燥を行うため、乾燥炉７による自動車ボディー塗装の乾燥が施される。この工程が乾燥工程（ｃ）である。乾燥工程（ｃ）では、高温による塗料の乾燥を行うので、図６に示すように、形状記憶合金からなるプラグホールプレート１が、折曲部１ａを伸ばすように変形され、被覆部３がプラグホールＰＨの上へと移動する。そして、やがて湾曲部５がプラグホールＰＨ内に入り込み縁部６がプラグホールＰＨを塞ぐ。乾燥工程（ｃ）では、同時に、アンダーパネルＰに施された電着塗装を乾燥させることとなる。この乾燥によって、アンダーパネルＰのプラグホールＰＨ周囲部と縁部６との間の塗料も乾燥されるので、プラグホールＰＨはプラグホールプレート１によって閉塞された状態となる。
【００２６】
乾燥工程（ｃ）に続けて、防錆工程（ｄ）が実施される。防錆工程（ｄ）では、乾燥工程（ｃ）を終了した自動車ボディーに対して、防錆塗料の塗布が行われる。防錆工程（ｄ）で塗布される防錆塗料は、プラグホールプレート１によってプラグホールＰＨを閉塞済みのアンダーパネルＰとプラグホールプレート１とに行われる。
防錆工程（ｄ）に続けて、防錆塗料の乾燥工程（ｅ）が実施される。乾燥工程（ｅ）では、乾燥炉７’により、防錆工程（ｄ）で施された防錆塗料の乾燥が行われる。この時、プラグホールＰＨを閉塞しているプラグホールプレート１は、既に乾燥工程（ｃ）による高熱によって形状記憶した状態へと変形した後なので、特に変形することなく乾燥工程（ｅ）を終了することとなる。
【００２７】
乾燥工程（ｅ）に続けて、中塗り工程（ｆ）が実施される。中塗り工程（ｆ）では、中塗りブース８内で、中塗り塗装が施される。中塗り工程（ｆ）でも、防錆工程（ｄ）同様にプラグホールプレート１でプラグホールＰＨを閉塞したアンダーパネルＰとプラグホールプレート１とに中塗り塗装が施されることとなる。
【００２８】
中塗り工程（ｆ）に続けて、中塗り乾燥工程（ｇ）が実施される。中塗り乾燥工程（ｇ）では、中塗り工程（ｆ）で施された中塗り塗装した塗料の乾燥が行われる。
【００２９】
以下、詳細は省くが、シーラー塗装工程や、シーラー塗装の乾燥工程、耐チップ塗装工程、耐チップ塗装乾燥工程など、種々の塗装および該塗装に対する乾燥が、必要に応じ繰り返されても良いが、通常行われる塗装ラインにおける各工程と同様に行われるのので、詳説しない。
【００３０】
上記のように、各種塗装工程と乾燥工程とが終了した状態を図７に示す。図７に示すとおり、アンダーパネルＰは、プラグホールプレート１によってプラグホールＰＨを被覆した状態で各種塗料９が施され乾燥された状態となって、塗装ラインによる塗装工程を終了し、塗装を終了した自動車ボディーは、車両組み立て工程など、次の工程へと移動される。
【００３１】
図８は、従来のような塩化ビニル等の高分子樹脂製のプラグを、自動車ボディーの塗装終了後に、単にプラグホールＰＨにはめ込んだだけの場合と、この実施例のように、形状記憶合金である金属プレートからなるプラグホールプレート１によってプラグホールＰＨを閉塞後に塗装を施した場合との、音の遮蔽性能を比較したグラフである。図８の横軸は、周波数を表し、縦軸は音の透過損失を表している。音の透過損失は、数値が高いほど損失が大きくなり、遮蔽性能の反対を表す数値である。即ち、音の透過損失が大きければ遮蔽性能が良いことを示している。また、図８中、αで表す折れ線は、この実施の形態のプラグホールプレート１を用いたアンダーパネルＰの透過損失を示し、βで表す折れ線は、塩化ビニル等の高分子樹脂製の従来のプラグによるアンダーパネルＰの透過損失を示している。図８から明らかなように、本実施の形態によれば、略全ての周波数において、従来よりも良好な音の遮蔽性能を有していることがわかる。周波数によっては、１０[dB]以上の透過損失の差が現れている。
【００３２】
上記のような構造をもつプラグホールプレート１によれば、プラグホールプレート１をアンダーパネルＰに仮固定した後に塗装工程を施すことにより、プラグホールプレート１によるプラグホールＰＨの閉塞を、電着塗装を施した縁部６と、電着塗装を施したプラグホールＰＨ周囲部とを当接させた状態で塗料を乾燥させる際に同時に行うことが可能となるので、乾燥された塗料をプラグホールＰＨとプラグホールプレート１との接着剤の用に作用させることができる。
しかしながら、プラグホールプレート１の縁部６とプラグホールＰＨ周囲部とを接着することなく、プラグホールＰＨにプラグホールプレート１を被覆させた状態で、アンダーパネルＰとプラグホールプレート１とに各種塗装を施し、アンダーパネルＰにプラグホールプレート１を固定させても良い。
【００３３】
このように、単にプラグホールＰＨを閉塞させる場合には、プラグホールプレートの材料を形状記憶合金とせず、予め折曲させた状態としなくても良い。
即ち、図９は、他の実施の形態であるプラグホールプレート１１を示す。このプラグホールプレート１１は、アンダーパネルＰと同様な鋼板をプレス加工などにより成型して折曲部を設けずに湾曲部１５を備える。そして、プラグホールプレート１１のその他の構造も、プラグホールプレート１と同様に、載置部１２、被覆部１３、ビード部１４、縁部１６を、それぞれ備える。従って、プラグホールプレート１１は、プラグホールプレート１とは、構造上は折曲部を有していないこと、素材としては形状記憶合金でないことが異なるだけである。
【００３４】
上記のような構造をもつプラグホールプレート１１は、プラグホールプレート１と同様、塗装ラインによる各種塗装工程前に、ビード部１４をアンダーパネルＰに設けたビード突起ＰＢと合わせることで位置合わせを行って載置部１２載置し、粘着テープなどで載置部１２を仮固定しておく。
そして、塗装工程と乾燥工程とを繰り返すことで、プラグホールプレート１１がプラグホールＰＨを被覆した状態で、アンダーパネルＰおよびプラグホールプレート１１に各種塗装を施し、アンダーパネルＰにプラグホールプレート１１を固定させ、且つ、プラグホールＰＨを閉塞させる。
なお、プラグホールプレート１１によるプラグホールＰＨの被覆工程は、電着塗装工程（ｂ）において、プラグホールＰＨ周囲部とプラグホールプレート１１の縁部１６とに直接電着塗装が施されないことと、乾燥工程（ｃ）において、プラグホールプレート１１が記憶した形状へと熱変形を起こさないことが異なるだけであって、その他はプラグホールプレート１による場合と同様である。
【００３５】
尚、この実施の形態では、プラグホールプレート１やプラグホールプレート１１の仮固定を、粘着テープなどによって行わせたが、例えば、マテハンロボットを用いるなどしてアンダーパネルＰ上面に載置させた状態でスポット溶接を施し仮固定するようにしても良く、仮固定などは自動車製造ライン内で適宜選択される事項である。
【産業上の利用可能性】
【００３６】
この発明は、自動車ボディーの製造工程で、車両完成後に開口しておく必要のないアンダーパネル等に穿設した貫通孔を閉塞させるために利用可能である。
【符号の説明】
【００３７】
Ｐ  アンダーパネル
ＰＨ  プラグホール
ＰＢ  ビード突起
１  プラグホールプレート
１ａ  折曲部
２  載置部
３  被覆部
４  ビード部
５  湾曲部
６  縁部
７、７’、７”  乾燥炉
８  中塗りブース
９  各種乾燥塗料
１１  プラグホールプレート
１２  載置部
１３  被覆部
１４  ビード部
１５  湾曲部
１６  縁部
【図１】
2011037358.tif 000003
【図２】
2011037358.tif 000004
【図３】
2011037358.tif 000005
【図４】
2011037358.tif 000006
【図５】
2011037358.tif 000007
【図６】
2011037358.tif 000008
【図７】
2011037358.tif 000009
【図８】
2011037358.tif 000010
【図９】
2011037358.tif 000011
【図１０】
2011037358.tif 000012